(57)【要約】【課題】  特大定規を用いることなく簡単かつ正確に任意の縦罫線を引くことができる記載用紙を提供する。【解決手段】  上下方向に所定間隔で設けられた複数の横罫線２と、最上の前記横罫線２ａおよび最下の前記横罫線２ｂ各々に左右方向に所定間隔で設けられた複数の縦罫線用目印３が印刷された記載用紙において、所定の横罫線２ｃに、左右方向に所定間隔で設けられた複数の縦罫線用目印４、６を有する構成にする。【選択図】  図１
2005169692.tif 000002
【特許請求の範囲】
【請求項１】
上下方向に所定間隔で設けられた複数の横罫線と、最上の前記横罫線および最下の前記横罫線各々に左右方向に所定間隔で設けられた複数の縦罫線用目印が印刷された記載用紙において、所定の横罫線に、左右方向に所定間隔で設けられた複数の縦罫線用目印を有することを特徴とする記載用紙。
【請求項２】
上下方向に所定間隔で設けられた複数の横罫線が印刷された記載用紙において、所定の少なくとも３つの前記横罫線に、左右方向に所定間隔で設けられた複数の縦罫線用目印を有することを特徴とする記載用紙。
【請求項３】
縦罫線用目印は、横罫線上に、左右方向に所定間隔で印刷された複数の目印点よりなる請求項１または２記載の記載用紙。
【請求項４】
縦罫線用目印は、横罫線を左右方向に所定間隔で分断することで形成される隣り合う横罫線の隙間よりなる請求項１または２記載の記載用紙。
【発明の詳細な説明】
【技術分野】
【０００１】
本発明は、ノート、ルーズリーフ等の記載用紙に関し、特に罫線を引く際に便利な記載用紙に関するものである。
【背景技術】
【０００２】
従来から、ノート、ルーズリーフ等の記載用紙として、種々のサイズのものがあり、特にＡ４、Ｂ５サイズのものが普及されている。また記載用紙には、一定間隔で設けられた横罫線と、最上の横罫線および最下の横罫線の各々に一定間隔で設けられた複数の縦罫線用目印が印刷されていた。そして、前記縦罫線用目印は、縦罫線を引く際に利用されている。
【０００３】
従来の記載用紙の一例を図４に基づいて説明する。図４に示すように、従来例の記載用紙９は、枠１０と、その枠１０の一対の対向する辺に夫々１ｍｍ毎に刻まれた所定の長さを有する縦罫線用目印１１が印刷されたものであって、任意の個所に正確に縦罫線を引くことができたり位置決めすることができるものであった（例えば、特許文献１参照。）。
【特許文献１】実開平７−７９６１号公報
【発明の開示】
【発明が解決しようとする課題】
【０００４】
しかしながら、従来の記載用紙に縦罫線を引く場合、上側の任意の縦罫線用目印と下側の任意の縦罫線用目印に定規を合わせた後、縦罫線を記入するのであるが、例えば記載用紙がＢ５サイズであれば少なくとも２３０ｍｍ以上の定規が必要であり、またＡ４サイズの記載用紙であれば３００ｍｍ以上の定規が必要であるように、特大の定規を用いなければならないという問題があった。また筆箱等に入るような１５０ｍｍ程度の一般的な定規を用いて、従来の記載用紙に縦罫線を引く場合、予め上側の所定の縦罫線用目印と記載用紙の縁辺との距離を測り、そこから約１５０ｍｍ以内に位置する横罫線上に、先ほど測った距離と同距離位置に目印を記入して、上側の所定の縦罫線用目印と前記記入した目印に定規を合わせて縦罫線を引き、続いて前記記入目印と下側の所定の縦罫線用目印に定規を合わせて縦罫線を引くという極めて煩雑な作業が必要であり、特に事前準備としての記入目印が必要であるという問題があった。
【０００５】
本発明は、上記問題点に鑑み、特大定規を用いることなく簡単かつ正確に任意の縦罫線を引くことができる記載用紙を提供することを目的とする。
【課題を解決するための手段】
【０００６】
本発明の記載用紙は、上記目的を達成するため、上下方向に所定間隔で設けられた複数の横罫線と、最上の前記横罫線および最下の前記横罫線各々に左右方向に所定間隔で設けられた複数の縦罫線用目印が印刷された記載用紙において、所定の横罫線に、左右方向に所定間隔で設けられた複数の縦罫線用目印を有することを特徴とする。
【０００７】
本発明によれば、縦罫線を引く際に、所定の横罫線に設けられた縦罫線用目印を目安にできるため、特大定規を用いることなく簡単かつ正確に任意の縦罫線を引くことができる。具体的には最上の横罫線に設けられた任意の縦罫線用目印から所定の横罫線に設けられた任意の縦罫線用目印に罫線を引き、続けて前記所定の横罫線に設けられた縦罫線用目印から最下の横罫線に設けれた任意の縦罫線用目印に罫線を引くだけで、縦罫線を引くことができる。
【発明の効果】
【０００８】
本発明によれば、縦罫線を引く際に、所定の横罫線に設けられた縦罫線用目印を目安にできるため、特大定規を用いることなく簡単かつ正確に任意の縦罫線を引くことができる。
【発明を実施するための最良の形態】
【０００９】
以下、本発明の記載用紙の実施形態を図１〜図３に基づいて詳細に説明する。
【００１０】
本発明の記載用紙の第一実施形態は、図１に示すように、バインダから自由に挿入したり取り外したりできるルーズリーフ用のＢ５用紙１であって、上下方向に約７ｍｍ間隔で設けられた複数の横罫線２と、最上の前記横罫線２ａおよび最下の前記横罫線２ｂ各々に左右方向に約７ｍｍ間隔で設けられた複数の縦罫線用目印３が印刷されており、さらに、ほぼ中央に位置する横罫線２ｃ上に、左右方向に約７ｍｍ間隔で設けられた複数の目印点（縦罫線用目印）４が印刷されている。また記載用紙１の左側辺には、バインダ（図示せず）に綴じこむことができる多数の綴込孔５が上下方向に穿設されている。
【００１１】
そして、本実施形態の記載用紙１に縦罫線を引く方法は、最上の横罫線２ａに設けられた任意の縦罫線用目印３からほぼ中央の横罫線２ｃに設けられた任意の縦罫線用目印４に定規をあて罫線を引き、続けて前記縦罫線用目印４から最下の横罫線２ｂに設けれた任意の縦罫線用目印３に定規をあてて罫線を引くだけで、縦罫線を引くことができる。
【００１２】
本発明の記載用紙の第二実施形態は、図２に示すように、いわゆるノート用のＢ５用紙１であって、上記第一実施形態と同様に、上下方向に約７ｍｍ間隔で設けられた複数の横罫線２と、最上の横罫線２ａおよび最下の横罫線２ｂの各々に左右方向に約７ｍｍ間隔で設けられた複数の縦罫線用目印が印刷３されている。そして、ほぼ中央に位置する横罫線２ｃは、左右方向に約７ｍｍ間隔で分断することで形成される隣り合う横罫線の隙間（縦罫線用目印）６が複数設けられており、前記隙間は１ｍｍ未満となるように形成されている。なお記載用紙１の右上隅部に示す７は、日付欄である。
【００１３】
また、本実施形態の記載用紙１に縦罫線を引く方法は、上記第一実施形態の場合と同様であり、その説明を省略する。
【００１４】
本発明の記載用紙に設けた縦罫線用目印は、上記第一実施形態の目印点４および第二実施形態の隙間６に限定するものではなく、最上最下の横罫線に印刷した縦罫線用目印の間隔と同間隔を示す目印であればどのような形態であってもよい。また縦罫線用目印は、上記実施形態おいて説明したように、ほぼ中央に位置する横罫線２ｃに限らず、他の横罫線２上に設けてもよい。さらに、図３に示すように、縦罫線用目印４を複数の横罫線２ｃ、２ｄ、２ｅ上に設けてもよい。
【産業上の利用可能性】
【００１５】
本発明は、広く普及し、日常多用されるノート、ルーズリーフ等の記載用紙に関するもので、産業上の利用性を満足することは勿論、特に罫線を引く際に便利なものである。
【図面の簡単な説明】
【００１６】
【図１】本発明の第一実施形態の記載用紙を示す平面図である。
【図２】本発明の第二実施形態の記載用紙を示す平面図である。
【図３】本発明の他の実施形態の記載用紙を示す平面図である。
【図４】従来例の記載用紙を示す平面図である。
【符号の説明】
【００１７】
１  記載用紙
２  横罫線
２ａ  最上の横罫線
２ｂ  最下の横罫線
２ｃ  中央の横罫線
３  縦罫線用目印
４  目印点（縦罫線用目印）
６  隙間（縦罫線用目印）
【図１】
2005169692.tif 000003
【図２】
2005169692.tif 000004
【図３】
2005169692.tif 000005
【図４】
2005169692.tif 000006